(57)【特許請求の範囲】
【請求項１】
通信システムにおけるターゲット基地局が移動端末のフロー情報を管理する方法であって、
サービング基地局と移動端末との間のフローのそれぞれのフロー識別子と前記フロー識別子のそれぞれに対応するフローの追加／変更／削除動作の回数を示す変更カウントとを含むレンジング要請メッセージを移動端末から受信するステップと、
前記フロー識別子のそれぞれの変更カウントが有効であるか否かを示す有効性指示子を含むレンジング応答メッセージを移動端末に送信するステップとを有し、
前記有効性指示子が前記フロー識別子のそれぞれの変更カウントのうちの少なくとも１つの変更カウントが有効でないことを示す場合に、前記レンジング応答メッセージは、有効でない前記少なくとも１つの変更カウントを含むリストを有することを特徴とする方法。
【請求項２】
前記レンジング応答メッセージを送信するステップは、
前記フロー識別子のそれぞれの変更カウントが前記ターゲット基地局に保存されている変更カウントとすべて一致する場合に、前記フロー識別子のそれぞれの変更カウントがすべて有効であることを示すように前記有効性指示子を設定するステップと、
前記フロー識別子のそれぞれの変更カウントのうちで前記ターゲット基地局に保存されている変更カウントと一致しない少なくとも１つの変更カウントを含む場合に、前記フロー識別子のそれぞれの変更カウントが有効でない少なくとも１つの変更カウントを含むことを示すように前記有効性指示子を設定するステップとを有することを特徴とする請求項１に記載の方法。
【請求項３】
前記有効でない変更カウントを有するフロー識別子のそれぞれに対応するフローの追加／変更／削除動作を実行することにより、前記有効でない変更カウントを削除するステップをさらに有することを特徴とする請求項２に記載の方法。
【請求項４】
前記有効性指示子を設定する前に、前記フロー識別子のそれぞれに対して保存されている変更カウントを前記サービング基地局から受信するステップをさらに有することを特徴とする請求項２に記載の方法。
【請求項５】
通信システムにおける移動端末がフロー情報を管理する方法であって、
サービング基地局に接続されたフローのそれぞれのフロー識別子と前記フロー識別子のそれぞれに対応するフローの追加／変更／削除動作の回数を示す変更カウントとを含むレンジング要請メッセージをターゲット基地局に送信するステップと、
前記フロー識別子のそれぞれの変更カウントが有効であるか否かを示す有効性指示子を含むレンジング応答メッセージを前記ターゲット基地局から受信するステップとを有し、
前記有効性指示子が前記フロー識別子のそれぞれの変更カウントのうちの少なくとも１つの変更カウントが有効でないことを示す場合に、前記レンジング応答メッセージは、有効でない前記少なくとも１つの変更カウントを含むリストを有することを特徴とする方法。
【請求項６】
前記レンジング応答メッセージを受信するステップは、
前記フロー識別子のそれぞれの変更カウントが前記ターゲット基地局に保存されている変更カウントとすべて一致する場合に、前記フロー識別子のそれぞれの変更カウントがすべて有効であることを示す前記有効性指示子を受信するステップと、
前記フロー識別子のそれぞれの変更カウントのうちで前記ターゲット基地局に保存されている変更カウントと一致しない少なくとも１つの変更カウントを含む場合に、前記フロー識別子のそれぞれの変更カウントが有効でない少なくとも１つの変更カウントを含むことを示す前記有効性指示子を受信するステップとを有することを特徴とする請求項５に記載の方法。
【請求項７】
通信システムにおける移動端末のフロー情報を管理するターゲット基地局であって、
サービング基地局と移動端末との間のフローのそれぞれのフロー識別子と前記フロー識別子のそれぞれに対応するフローの追加／変更／削除動作の回数を示す変更カウントとを含むレンジング要請メッセージを移動端末から受信する受信部と、
前記フロー識別子のそれぞれの変更カウントが有効であるか否かを示す有効性指示子を含むレンジング応答メッセージを移動端末に送信する送信部と、
前記有効性指示子が前記フロー識別子のそれぞれの変更カウントのうちの少なくとも１つの変更カウントが有効でないことを示す場合に、前記少なくとも１つの変更カウントを含むリストを前記レンジング応答メッセージに挿入する制御部と
を有することを特徴とするターゲット基地局。
【請求項８】
前記制御部は、前記フロー識別子のそれぞれの変更カウントが前記ターゲット基地局に保存されている変更カウントとすべて一致する場合に、前記フロー識別子のそれぞれの変更カウントがすべて有効であることを示すように前記有効性指示子を設定し、前記フロー識別子のそれぞれの変更カウントのうちで前記ターゲット基地局に保存されている変更カウントと一致しない少なくとも１つの変更カウントを含む場合に、前記フロー識別子のそれぞれの変更カウントが有効でない少なくても１つの変更カウントを含むことを示すように前記有効性指示子を設定することを特徴とする請求項７に記載のターゲット基地局。
【請求項９】
前記制御部は、前記有効でない変更カウントを有するフロー識別子のそれぞれに対応するフローの追加／変更／削除動作を実行することにより、前記有効でない変更カウントを削除することを特徴とする請求項８に記載のターゲット基地局。
【請求項１０】
前記受信部は、前記有効性指示子を設定する前に、前記フロー識別子のそれぞれに対して保存されている変更カウントを前記サービング基地局から受信することを特徴とする請求項８に記載のターゲット基地局。
【請求項１１】
通信システムにおけるフロー情報を管理する移動端末であって、
サービング基地局に接続されたフローのそれぞれのフロー識別子と前記フロー識別子のそれぞれに対応するフローの追加／変更／削除動作の回数を示す変更カウントとを含むレンジング要請メッセージをターゲット基地局に送信する送信部と、
前記フロー識別子のそれぞれの変更カウントが有効であるか否かを示す有効性指示子を含むレンジング応答メッセージを前記ターゲット基地局から受信する受信部とを有し、
前記有効性指示子が前記フロー識別子のそれぞれの変更カウントのうちの少なくとも１つの変更カウントが有効でないことを示す場合に、前記レンジング応答メッセージは、有効でない前記少なくとも１つの変更カウントを含むリストを有することを特徴とする移動端末。
【請求項１２】
前記受信部は、前記フロー識別子のそれぞれの変更カウントが前記ターゲット基地局に保存されている変更カウントとすべて一致する場合に、前記フロー識別子のそれぞれの変更カウントがすべて有効であることを示す前記有効性指示子を受信し、
前記フロー識別子のそれぞれの変更カウントのうちで前記ターゲット基地局に保存されている変更カウントと一致しない少なくとも１つの変更カウントを含む場合に、前記フロー識別子のそれぞれの変更カウントが有効でない少なくとも１つの変更カウントを含むことを示すように設定された前記有効性指示子を受信することを特徴とする請求項１１に記載の移動端末。
【発明の詳細な説明】
【技術分野】
【０００１】
本発明は、通信システムにおける基地局と移動端末との間のフロー情報を管理する方法及び装置に関する。
【背景技術】
【０００２】
通信システムにおいて、基地局（Advanced Base Station：以下、“ＢＳ”と称する）は、様々なサービスをサポートするために、移動端末（Mobile Station：以下、“ＭＳ”と称する）別に複数のフローを管理する。例えば、任意のＭＳが音声通話及びインターネットのようなデータサービスを同時に希望する場合に、ＢＳは、音声通話及びインターネットのそれぞれを任意のＭＳに提供するための２つのフローを割り当てる。ボイスオーバーインターネットプロトコル（Voice over Internet Protocol：以下、“ＶｏＩＰ”と称する）のような音声通話のためのサービス品質（Quality of Service：以下、“ＱｏＳ”と称する）は、１つのフローに割り当てられ、 ベストエフォート（Best Effort：以下、“ＢＥ”と称する）ＱｏＳのようなインターネットのためのＱｏＳは、他の１つのフローに割り当てられる。この場合に、２つのフローのそれぞれは、要請されるＱｏＳに従って複数のパラメータを含む。ＶｏＩＰ  ＱｏＳは、遅延に対する特定の要請事項を有する。したがって、アップリンク割り当て期間及びアップリンク割り当てサイズのようなパラメータは、ＶｏＩＰ  ＱｏＳで決定される。他方、ＢＥ  ＱｏＳが特定の要請事項を有しないために、ＢＥ  ＱｏＳは、特定のパラメータを含まない。下記の説明において、フロー別パラメータを“フロー情報”と呼ぶ。
【０００３】
フロー別フロー情報は、ＭＳ及びＢＳのそれぞれにより動的に管理される。すなわち、新たなフロー情報が対応するフローに付加される、対応するフローの既存のフロー情報に含まれるパラメータが変更される、又は対応するフローのフロー情報が削除される可能性がある。上述したように、対応するフロー情報に対する追加／変更／削除の動作は、ＭＳがサービングＢＳのサービス領域内での通信を実行している間にも頻繁に発生する。
【０００４】
また、ＭＳがサービングＢＳからターゲットＢＳへのハンドオーバを実行する場合に、対応するフロー情報に対する追加／変更／削除の動作が発生する。ＭＳがターゲットＢＳへのハンドオーバを行う間で対応するフロー情報に対する追加／変更／削除動作が発生する場合に、フロー情報に対する追加／変更／削除の結果として得られたフロー情報は、ＭＳとターゲットＢＳとの間で一致しない場合がある。その結果、ＭＳとターゲットＢＳとの間の通信が難しいか又は誤って行われる場合があるという問題点があった。
【発明の概要】
【発明が解決しようとする課題】
【０００５】
本発明の目的は、少なくとも上述した問題点及び／又は不都合に取り組み、少なくとも以下の便宜を提供することにある。すなわち、本発明の目的は、通信システムにおけるＭＳとＢＳとの間のフロー情報を管理する方法及び装置を提供することにある。
【課題を解決するための手段】
【０００６】
上記のような目的を達成するために、本発明の一態様によれば、通信システムにおけるターゲット基地局が移動端末のフロー情報を管理する方法を提供する。上記方法は、サービング基地局と移動端末との間のフローのそれぞれのフロー識別子と上記フロー識別子のそれぞれに対応するフローの追加／変更／削除動作の回数を示す変更カウントとを含むレンジング要請メッセージを移動端末から受信するステップと、上記フロー識別子のそれぞれの変更カウントが有効であるか否かを示す有効性指示子を含むレンジング応答メッセージを移動端末に送信するステップとを有し、上記有効性指示子が上記フロー識別子のそれぞれの変更カウントのうちの少なくとも１つの変更カウントが有効でないことを示す場合に、上記レンジング応答メッセージは、有効でない上記少なくとも１つの変更カウントを含むリストを有することを特徴とする。
【０００７】
本発明の他の態様によれば、通信システムにおける移動端末がフロー情報を管理する方法を提供する。上記方法は、サービング基地局に接続されたフローのそれぞれのフロー識別子と上記フロー識別子のそれぞれに対応するフローの追加／変更／削除動作の回数を示す変更カウントとを含むレンジング要請メッセージを送信するステップと、上記フロー識別子のそれぞれの変更カウントが有効であるか否かを示す有効性指示子を含むレンジング応答メッセージをターゲット基地局から受信するステップとを有し、上記有効性指示子が上記フロー識別子のそれぞれの変更カウントのうちの少なくとも１つの変更カウントが有効でないことを示す場合に、上記レンジング応答メッセージは、有効でない上記少なくとも１つの変更カウントを含むリストを有することを特徴とする。
【０００８】
本発明のさらに他の態様によれば、通信システムにおける移動端末のフロー情報を管理するターゲット基地局を提供する。上記ターゲット基地局は、サービング基地局と移動端末との間のフローのそれぞれのフロー識別子と上記フロー識別子のそれぞれに対応するフローの追加／変更／削除動作の回数を示す変更カウントとを含むレンジング要請メッセージを移動端末から受信する受信部と、上記フロー識別子のそれぞれの変更カウントが有効であるか否かを示す有効性指示子を含むレンジング応答メッセージを移動端末に送信する送信部と、上記有効性指示子が上記フロー識別子のそれぞれの変更カウントのうちの少なくとも１つの変更カウントが有効でないことを示す場合に、上記少なくとも１つの変更カウントを含むリストを上記レンジング応答メッセージに挿入する制御部とを有することを特徴とする。
【０００９】
本発明の実施形態のさらなる他の態様によれば、通信システムにおけるフロー情報を管理する移動端末を提供する。上記移動端末は、サービング基地局に接続されたフローのそれぞれのフロー識別子と上記フロー識別子のそれぞれに対応するフローの追加／変更／削除動作の回数を示す変更カウントとを含むレンジング要請メッセージを送信する送信部と、上記フロー識別子のそれぞれの変更カウントが有効であるか否かを示す有効性指示子を含むレンジング応答メッセージをターゲット基地局から受信する受信部とを有し、上記有効性指示子が上記フロー識別子のそれぞれの変更カウントのうちの少なくとも１つの変更カウントが有効でないことを示す場合に、上記レンジング応答メッセージは、有効でない上記少なくとも１つの変更カウントを含むリストを有することを特徴とする。
【発明の効果】
【００１０】
本発明の実施形態によれば、ＢＳ及びＭＳが有しているフローのフロー情報に対する追加／変更／削除の動作回数を示すフロー変化構成カウント（Flow Change Configuration Count：以下、“ＦＣＣＣ”と称する）値を送受信する。また、ＢＳ及びＭＳは、ＦＣＣＣ値がＢＳとＭＳとの間で一致するか否かを確認し、不一致のＦＣＣＣ値を一致するようにアップデートすることにより、ＭＳとＢＳとの誤動作を防止し、ＭＳとＢＳとの間の通信を向上させることができるという長所がある。
【００１１】
本発明の他の目的、効果、及び顕著な特徴は、添付図面が併用される本発明の実施形態を開示する後述の詳細な説明から、当業者にとって一層明らかになる。
【図面の簡単な説明】
【００１２】
【図１】本発明の第１の実施形態に従って移動端末（ＭＳ）と基地局（ＢＳ）との間のフロー変更設定カウント（ＦＣＣＣ）値を一致させるための動作を示す信号フロー図である。
【図２】本発明の第２の実施形態に従ってＭＳとＢＳとの間のＦＣＣＣ値を一致させるための動作を示す信号フロー図である。
【図３】本発明の第３の実施形態に従ってハンドオーバの時にＭＳとＢＳとの間のＦＣＣＣ値を一致させるための動作を示す信号フロー図である。
【図４】本発明の第４の実施形態に従ってハンドオーバの時にＭＳとＢＳとの間のＦＣＣＣ値を一致させるための動作を示す信号フロー図である。
【図５】本発明の第５の実施形態に従ってハンドオーバの時にＭＳとＢＳとの間のＦＣＣＣ値を一致させるための動作を示す信号フロー図である。
【図６】本発明の第６の実施形態に従ってハンドオーバの時にＭＳとＢＳとの間のＦＣＣＣ値を一致させるための動作を示す信号フロー図である。
【図７】本発明の実施形態に従ってＭＳとＢＳとの間のＦＣＣＣ値を一致させるための装置の構造を示すブロック図である。
【発明を実施するための形態】
【００１３】
添付の図面を参照した下記の説明は、特許請求の範囲の記載及びこれと均等なものの範囲内で定められるような本発明の実施形態の包括的な理解を助けるために提供されたものであり、この理解を助けるための様々な特定の詳細を含むが、ただ１つの実施形態にすぎない。したがって、本発明の範囲及び趣旨を逸脱することなく、ここに説明された実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１４】
次の説明及び請求項に使用される用語及び単語は、辞典的意味に限定されるものではなく、発明者により本発明の理解を明確にかつ一貫性のあるようにするために使用される。したがって、特許請求の範囲とこれと均等なものに基づいて定義されるもので、本発明の実施形態の説明がただ実例を提供するためのもので、本発明の目的を限定するものでないことは、本発明の技術分野における通常の知識を持つ者には明らかである。
【００１５】
英文明細書に記載の“ａ”、“ａｎ”、及び“ｔｈｅ”、すなわち、単数形は、コンテキスト中に特記で明示されない限り、複数形を含むことは、当業者にはわかることである。したがって、例えば、“コンポーネント表面（a component surface）”との記載は、１つ又は複数の表面を含む。
【００１６】
“実質的に（substantially）”という用語は、提示された特徴、パラメータ、又は値が正確に設定される必要はないが、許容誤差、測定誤り、測定精度限界及び当業者に知られているか、あるいは当業者によって実験なしに得られる要素を含む偏差又は変化が、これら特性が提供しようとする効果を排除しない範囲内で発生することを意味する。
【００１７】
本発明は、移動端末（Mobile Station：以下、“ＭＳ”と称する）と基地局（Base Station：以下、“ＢＳ”と称する）との間のフローのフロー情報を管理する方法及び装置を提案する。具体的に、本発明は、各フローのフロー情報の追加／変更／削除の動作がＭＳとＢＳとの間で発生する場合に、フロー別フロー情報に対する追加／変更／削除の動作回数を示すフロー変化構成カウント（Flow Change Configuration Count：以下、“ＦＣＣＣ”と称する）を設定し、ＦＣＣＣを管理する方法及び装置を提案する。
【００１８】
一方、本発明に従って、ＭＳがハンドオーバを実行し、ターゲットＢＳへの初期進入を行う場合に、ＭＳ又はターゲットＢＳは、ＭＳ又はターゲットＢＳ自身のすべてのフローに関するフロー情報のＦＣＣＣ値又はＦＣＣＣ値の総計をターゲットＢＳ又はＭＳに送信することにより、現在有している対応する各フローのフロー情報の状態をＭＳとターゲットＢＳとの間で交換する。
【００１９】
この後に、ＭＳ又はターゲットＢＳが受信したＦＣＣＣ値又はＦＣＣＣ値の総計がＭＳ又はターゲットＢＳが現在有しているＦＣＣＣ値又はＦＣＣＣ値の総計と異なる場合に、ＭＳ又はターゲットＢＳは、現在のＦＣＣＣ値又はＦＣＣＣ値の総計に対する状態確認要請を行うＦＣＣＣリトリーブ要請（FCCC Retrieve Request：以下、“ＦＣＲ−ＲＥＱ”と称する）メッセージをターゲットＢＳ又はＭＳに送信する。その後に、ＦＣＲ−ＲＥＱメッセージを受信する時に、ターゲットＢＳ又はＭＳは、現在有しているＦＣＣＣ値又はＦＣＣＣ値の総計に対する状態応答を行うＦＣＣＣリトリーブ応答（FCCC Retrieve Response：以下、“ＦＣＲ−ＲＳＰ”と称する）メッセージをＭＳ又はターゲットＢＳに送信することにより、不一致のフローに対するフロー情報を確認し、不一致のフロー又は複数のフローの追加／変更／削除の動作を実行する。
【００２０】
図１は、本発明の第１の実施形態に従ってＭＳとＢＳとの間のＦＣＣＣ値を一致させるための動作を示す信号フロー図である。
【００２１】
図１を参照すると、ステップ１１１において、ＢＳ１０３は、ＭＳ１０１に割り当てられた各フローのフロー情報の追加／変更／削除の動作を要請するための動的サービス追加／変更／削除（（Dynamic Service Addition/Change/Deletion：以下、“ＤＳｘ”と称する）要請（以下、“ＤＳｘ−ＲＥＱ”と称する））メッセージをＭＳ１０１に送信した後にステップ１１３に進む。この時に、ＤＳｘ−ＲＥＱメッセージは、対応する各フローのフロー識別子（Flow IDentifier：以下、“ＦＩＤ”と称する）と、各ＦＩＤのフロー情報の追加／変更／削除動作の回数の現在のカウントを示すＦＣＣＣとを含む。例えば、ＦＩＤが“３”であるフローが新たに付加される場合に、ＦＩＤが“３”であるフローのフロー情報のＦＣＣＣ値が１として割り当てられると仮定する。この場合に、ステップ１１３において、ＭＳ１０１は、ＤＳｘ−ＲＥＱメッセージに従って対応するフローのフロー情報の追加／変更／削除の動作を実行し、対応するフロー情報の追加／変更／削除の動作の結果を示すアップデートされたＦＣＣＣ値を含むＤＳｘ応答（以下、“ＤＳｘ−ＲＳＰ”と称する）メッセージをＢＳ１０３に送信した後にステップ１１５に進む。例えば、ＤＳｘ−ＲＥＱメッセージがＦＩＤのフローの設定変更を要請する場合に、ＭＳ１０１は、この追加／変更／削除動作のカウントが１増加したことを示すために、“２”の値をＦＩＤのＦＣＣＣ値に割り当てることにより変更されたＦＣＣＣ値を示すことができる。
【００２２】
ステップ１１５において、ＢＳ１０３は、ＤＳｘ−ＲＳＰメッセージの受信を報告するＤＳｘ確認（以下、“ＤＳｘ−ＡＣＫ”と称する）メッセージをＭＳ１０１に送信する。ＤＳｘ−ＲＳＰメッセージは、対応するフローのフロー情報に関連するアップデートされたＦＣＣＣ値を含む。
【００２３】
ＭＳ１０１及びＢＳ１０３は、ステップ１１１乃至ステップ１１５を反復して実行することにより対応するフローのフロー情報に対する追加／変更／削除の動作を実行し、ＦＣＣＣ値で表現されるように実行された各動作に対するフロー設定値を保存する。
【００２４】
この後に、ステップ１１７において、ＭＳ１０１は、ＭＳ１０１及びＢＳ１０３が有するＦＣＣＣ値が一致するか否かを確認するためのＦＣＲ−ＲＥＱメッセージをＢＳ１０３に送信する。この時に、ＦＣＲ−ＲＥＱメッセージは、ＭＳ１０１が現在有しているＦＩＤ及びＦＩＤのそれぞれのＦＣＣＣ値を含む。ステップ１１９において、ＢＳ１０３は、自身が現在保有しているＦＩＤ及びＦＩＤのそれぞれのＦＣＣＣ値を含むＦＣＲ−ＲＳＰメッセージをＭＳ１０１に送信する。ここで、ＢＳ１０３が送信したＦＣＲ−ＲＳＰメッセージがＦＩＤ３（ＦＩＤ＝３）及びＦＣＣＣ２（ＦＣＣＣ＝２）を含むと仮定する。
【００２５】
ＦＣＲ−ＲＥＱメッセージ及びＦＣＲ−ＲＳＰメッセージの送信及び受信を通してＭＳ１０１とＢＳ１０３との間のＦＩＤの各々に対応するフロー別ＦＣＣＣ値のうちで不一致のＦＩＤが存在することが確認される場合に、ステップ１２１乃至ステップ１２５において、ＭＳ１０１及びＢＳ１０３は、不一致のＦＩＤに対応するフローのフロー情報に対してフロー設定のためのＤＳｘ−ＲＥＱ、ＤＳｘ−ＲＳＰ、又はＤＳｘ−ＡＣＫメッセージを送受信する。その結果、ＭＳ１０１及びＢＳ１０３は、不一致のＦＩＤのＦＣＣＣ値を一致させるようにすることができる。
【００２６】
図２は、本発明の第２の実施形態に従ってＭＳとＢＳとの間のＦＣＣＣ値を一致させるための動作を示す信号フロー図である。
【００２７】
図２を参照すると、ステップ２１１において、ＢＳ２０３は、ＭＳ２０１に割り当てられた各フローのフロー情報の追加／変更／削除に対する動作を要請するためのＤＳｘ−ＲＥＱメッセージをＭＳ２０１に送信する。この時に、ＤＳｘ−ＲＥＱメッセージは、対応するフローのＦＩＤ及びＦＩＤのフロー情報に対するＦＣＣＣを含む。ステップ２１３において、ＭＳ２０１は、ＤＳｘ−ＲＥＱメッセージに従って対応するフローのフロー情報の追加／変更／削除の動作を実行し、対応するフロー情報の追加／変更／削除の動作の結果を示すアップデートされたＦＣＣＣ値を含むＤＳｘ−ＲＳＰメッセージをＢＳ２０３に送信する。ステップ２１５において、ＢＳ２０３は、ＤＳｘ−ＲＳＰメッセージの受信を報告するＤＳｘ−ＡＣＫメッセージをＭＳ２０１に送信する。ＤＳｘ−ＡＣＫメッセージは、対応するフローのフロー情報に関連するアップデートされたＦＣＣＣ値を含む。
【００２８】
ＭＳ２０１及びＢＳ２０３は、ステップ２１１乃至ステップ２１５を反復して実行することにより、対応するフローのフロー情報に対する追加／変更／削除の動作を実行し、各動作に対するＦＣＣＣ値を設定し保存する。
【００２９】
この後に、ステップ２１７において、ＢＳ２０３は、ＢＳ２０３が有するＦＣＣＣ値がＭＳ２０１が有するＦＣＣＣ値と一致するか否かを確認するためのＦＣＲ−ＲＥＱメッセージをＭＳ２０１に送信する。この時に、ＦＣＲ−ＲＥＱメッセージは、ＢＳ２０３が現在有しているＦＩＤ及びＦＩＤのそれぞれのＦＣＣＣ値を含む。
【００３０】
ステップ２１９において、ＭＳ２０１は、ＭＳ２０１が現在有しているＦＩＤ及びＦＩＤのＦＣＣＣ値を含むＦＣＲ−ＲＳＰメッセージをＢＳ２０３に送信する。
【００３１】
ＦＣＲ−ＲＥＱメッセージ及びＦＣＲ−ＲＳＰメッセージの送信及び受信を通して、ＭＳ２０１とＢＳ２０３との間のＦＩＤに対応するフロー別ＦＣＣＣ値のうちで不一致のＦＩＤが存在することが確認される場合に、ステップ２２１乃至ステップ２２５において、ＭＳ２０１及びＢＳ２０３は、不一致のＦＩＤに対応するフローのフロー情報に対してフロー設定のためのＤＳｘ−ＲＥＱ、ＤＳｘ−ＲＳＰ、及びＤＳｘ−ＡＣＫメッセージを送受信する。その結果、ＭＳ２０１及びＢＳ２０３は、不一致のＦＩＤの不一致のＦＣＣＣ値を一致させるように変更することができる。
【００３２】
図３は、本発明の第３の実施形態に従ってハンドオーバの時にＢＳとＭＳ間のＦＣＣＣ値を一致させるための信号フロー図である。
【００３３】
図３を参照すると、ステップ３１１において、サービングＢＳ３０３は、ＭＳ３０１に割り当てられた各フローのフロー情報の追加／変更／削除に対する動作を要請するためのＤＳｘ−ＲＥＱメッセージをＭＳ３０１に送信した後にステップ３１３に進む。この時に、ＤＳｘ−ＲＥＱメッセージは、対応するフローのＦＩＤとＦＩＤのフロー情報に対するＦＣＣＣとを含む。ステップ３１３において、ＭＳ３０１は、ＤＳｘ−ＲＥＱメッセージに従って対応するフローのフロー情報に対する追加／変更／削除の動作を実行し、この追加／変更／削除の動作の結果を示すアップデートされたＦＣＣＣ値を設定し、このアップデートされたＦＣＣＣ値を含むＤＳｘ−ＲＳＰメッセージをサービングＢＳ３０３に送信する。ステップ３１５において、サービングＢＳ３０３は、ＤＳｘ−ＲＳＰメッセージの受信を報告するためにＤＳｘ−ＡＣＫメッセージをＭＳ３０１に送信する。ＤＳｘ−ＡＣＫメッセージは、対応するフローのフロー情報に関連するアップデートされたＦＣＣＣ値を含む。
【００３４】
ステップ３１７において、ＭＳ３０１は、ターゲットＢＳ３０５へのハンドオーバ要請（Handover Request：以下、“ＨＯ−ＲＥＱ”と称する）メッセージをサービングＢＳ３０３に送信する。ステップ３１９において、サービングＢＳ３０３は、ＭＳ３０１のターゲットＢＳ３０５へのハンドオーバに対するハンドオーバ命令（Handover Command：以下、“ＨＯ−ＣＭＤ”と称する）メッセージをＭＳ３０１に送信する。ステップ３２１において、ＭＳ３０１は、ターゲットＢＳ３０５へのハンドオーバに対するハンドオーバ指示（Handover Indication：以下、“ＨＯ−ＩＮＤ”と称する）メッセージをサービングＢＳ３０３に送信する。ＨＯ−ＩＮＤメッセージを受信したサービングＢＳ３０３は、ステップ３２３において、ＭＳ３０３のコンテキスト情報をターゲットＢＳ３０５に送信する。この時に、ＭＳ３０３のコンテキスト情報は、ＭＳ３０１に割り当てられた各フローのフロー情報のＦＩＤ及び各ＦＩＤのＦＣＣＣ値を含む。
【００３５】
ステップ３２５において、ＭＳ３０１は、初期進入のためのレンジング要請（Ranging Request：以下、“ＲＮＧ−ＲＥＱ”と称する）メッセージをターゲットＢＳ３０５に送信する。ＲＮＧ−ＲＥＱメッセージを受信したターゲットＢＳ３０５は、ステップ３２７において、レンジング応答（Ranging Response：以下、“ＲＮＧ−ＲＳＰ”と称する）メッセージを ＭＳ３０１に送信する。この時に、ＲＮＧ−ＲＳＰメッセージは、ステップ３２３において、サービングＢＳ３０３から受信したＭＳ３０１のＦＩＤのそれぞれのＦＣＣＣ値の総計を含む。
【００３６】
ステップ３２９において、ＭＳ３０１は、ターゲットＢＳ３０５から受信したＦＣＣＣ値の総計が有効であるか否か、すなわち、ターゲットＢＳ３０５から受信したＦＣＣＣ値の総計がＭＳ３０１が有するＦＣＣＣ値の総計と一致するか否かを検査する。この検査の結果として、ターゲットＢＳ３０５から受信したＦＣＣＣ値の総計がＭＳ３０１が有するＦＣＣＣ値の総計と一致しない場合に、ターゲットＢＳ３０５から受信したＦＣＣＣ値の総計が有効でないので、ステップ３３１において、ＭＳ３０１は、ＭＳ３０１が現在有しているＦＩＤとＦＩＤのそれぞれのＦＣＣＣ値とを含むＦＣＲ−ＲＥＱメッセージをターゲットＢＳ３０５に送信する。ＦＣＲ−ＲＥＱメッセージを受信したターゲットＢＳ３０５は、ステップ３３３において、サービングＢＳ３０３から受信したＦＩＤとＦＩＤのそれぞれのＦＣＣＣ値とを含むＦＣＲ−ＲＳＰメッセージをＭＳ３０１に送信する。
【００３７】
その後に、ＭＳ３０１及びターゲットＢＳ３０５は、ＦＣＲ−ＲＥＱメッセージ及びＦＣＲ−ＲＳＰメッセージを送受信することにより、取得したＦＣＣＣ値のうちでＭＳ３０１及びターゲットＢＳ３０５が有しているＦＣＣＣ値と一致しないＦＣＣＣ値を有するＦＩＤがあるか否かを確認する。この確認の結果として、取得したＦＣＣＣ値のうちでＭＳ３０１及びターゲットＢＳ３０５が有しているＦＣＣＣ値と一致しないＦＣＣＣ値を有するＦＩＤがある場合に、ステップ３３５において、ターゲットＢＳ３０５は、不一致のＦＩＤのフローに対する追加／変更／削除の動作を要請するためのＤＳｘ−ＲＥＱメッセージをＭＳ３０１に送信する。この時に、ＤＳｘ−ＲＥＱメッセージは、不一致のＦＩＤを含む。ステップ３３７において、ＭＳ３０１は、ＤＳｘ−ＲＥＱメッセージに従ってフロー情報の追加／変更／削除の動作を実行し、フロー情報の追加／変更／削除の動作の結果を示すアップデートされたＦＣＣＣ値及びこの不一致のＦＩＤを含むＤＳｘ−ＲＳＰメッセージをターゲットＢＳ３０５に送信する。ステップ３３９において、ターゲットＢＳ３０５は、ＤＳｘ−ＲＳＰメッセージを受信し、この一致しないＦＩＤのＦＣＣＣ値が一致する値にアップデートされたことを示すＤＳｘ−ＡＣＫメッセージをＭＳ３０１に送信する。ＤＳｘ−ＡＣＫメッセージは、この不一致のＦＩＤとこのアップデートされたＦＣＣＣ値とを含む。
【００３８】
図４は、本発明の第４の実施形態に従ってハンドオーバの時にＭＳとＢＳとの間のＦＣＣＣ値を一致させるための動作を示す信号フロー図である。
【００３９】
図４を参照すると、ステップ４１１において、サービングＢＳ４０３は、ＭＳ４０１に割り当てられたフローのそれぞれに対するフロー情報の追加／変更／削除の動作を要請するためのＤＳｘ−ＲＥＱメッセージをＭＳ４０１に送信した後に、ステップ４１３に進む。この時に、ＤＳｘ−ＲＥＱメッセージは、対応するフローのＦＩＤとＦＩＤのフロー情報に対するＦＣＣＣとを含む。ステップ４１３において、ＭＳ４０１は、ＤＳｘ−ＲＥＱメッセージに従って対応するフローのフロー情報に対する追加／変更／削除の動作を実行し、この追加／変更／削除動作の結果を示すアップデートされたＦＣＣＣ値を設定し、このアップデートされたＦＣＣＣ値を含むＤＳｘ−ＲＳＰメッセージをサービングＢＳ４０３に送信する。ステップ４１５において、サービングＢＳ４０３は、ＤＳｘ−ＲＳＰメッセージの受信を報告するＤＳｘ−ＡＣＫメッセージをＭＳ４０１に送信する。ＤＳｘ−ＡＣＫメッセージは、対応するフローのフロー情報に関するアップデートされたＦＣＣＣ値を含む。
【００４０】
ステップ４１７において、ＭＳ４０１は、ＭＳ４０１のターゲットＢＳ４０５へのハンドオーバに対するＨＯ−ＲＥＱメッセージをサービングＢＳ４０３に送信する。ステップ４１９において、サービングＢＳ４０３は、ターゲットＢＳ４０５へのハンドオーバに対するＨＯ−ＣＭＤメッセージをＭＳ４０１に送信する。ステップ４２１において、ＭＳ４０１は、ターゲットＢＳ４０５へのハンドオーバに対するＨＯ−ＩＮＤメッセージをサービングＢＳ４０３に送信する。ＨＯ−ＩＮＤメッセージを受信したサービングＢＳ４０３は、ステップ４２３において、ＭＳ４０３のコンテキスト情報をターゲットＢＳ４０５に送信する。この時に、ＭＳ４０３のコンテキスト情報は、サービングＢＳ４０３が有しているＭＳ４０１に割り当てられた各フローのフロー情報のＦＩＤ値及びＦＩＤ別ＦＣＣＣ値を含む。
【００４１】
ステップ４２５において、ＭＳ４０１は、ターゲットＢＳ４０５への初期進入のためのＲＮＧ−ＲＥＱメッセージを送信する。ＲＮＧ−ＲＥＱメッセージを受信したターゲＢＳ４０５は、ステップ４２７において、ＲＮＧ−ＲＳＰメッセージをＭＳ４０１に送信する。この時に、ＲＮＧ−ＲＳＰメッセージは、サービングＢＳ４０３から受信したＭＳ４０１のＦＩＤとＦＩＤのそれぞれのＦＣＣＣ値とを含む。
【００４２】
ステップ４２９において、ＭＳ４０１は、ターゲットＢＳ４０５から受信した各ＦＩＤのＦＣＣＣ値がＭＳ４０１が有しているＦＩＤのそれぞれのＦＣＣＣ値と一致するか否かを検査する。この検査の結果として、ターゲットＢＳ４０５から受信したＦＣＣＣ値がＭＳ４０１自身が有するＦＩＤのＦＣＣＣ値と一致しない場合に、ＭＳ４０１は、ターゲットＢＳ４０５が有するＦＣＣＣ値が有効でないことを示すように有効性指示子を“１”の値に設定する。他方、ターゲットＢＳ４０５から受信したＦＣＣＣ値がＭＳ４０１自身が有するＦＣＣＣ値とすべて一致する場合に、ＭＳ４０１は、ターゲットＢＳ４０５が有しているＦＣＣＣ値が有効であることを示すように有効性指示子を“０”に設定する。
【００４３】
ステップ４３１において、ＭＳ４０１は、上述したような検査の結果に基づいて設定された有効性指示子を含むＦＣＲ−ＲＥＱメッセージをターゲットＢＳ４０５に送信する。この時に、この有効性指示子がＦＣＲ−ＲＥＱメッセージ内で“１”に設定された場合に、ＦＣＲ−ＲＥＱメッセージは、この検査の結果として不一致のＦＣＣＣ値を有する有効でないＦＩＤのリストをさらに含む。ＦＣＲ−ＲＥＱメッセージを受信したターゲットＢＳ４０５は、ステップ４３３において、ＦＩＤリストに含まれる不一致のＦＣＣＣ値を含むＦＣＲ−ＲＳＰメッセージをＭＳ４０１に送信する。
【００４４】
この後に、ステップ４３５において、ターゲットＢＳ４０５は、不一致のＦＩＤのフローのフロー情報に対する追加／変更／削除の動作を要請するためのＤＳｘ−ＲＥＱメッセージをＭＳ４０１に送信する。この時に、ＤＳｘ−ＲＥＱメッセージは、不一致のＦＩＤを含む。ステップ４３７において、ＭＳ４０１は、ＤＳｘ−ＲＥＱメッセージに従って不一致のＦＩＤのフロー設定に対するフロー追加／変更／削除の動作を実行し、このフロー追加／変更／削除の結果を示すアップデートされたＦＣＣＣ値と不一致のＦＩＤとを含むＤＳｘ−ＲＳＰメッセージをターゲットＢＳ４０５に送信する。ステップ４３９において、ターゲットＢＳ４０５は、ＤＳｘ−ＲＳＰメッセージを受信し、不一致のＦＩＤのＦＣＣＣ値が一致する値にアップデートされたことを示すＤＳｘ−ＡＣＫメッセージをＭＳ４０１に送信する。ＤＳｘ−ＡＣＫメッセージは、この不一致のＦＩＤとこのアップデートされたＦＣＣＣ値とを含む。
【００４５】
図５は、本発明の第５の実施形態に従ってハンドオーバの時にＭＳとＢＳとの間のＦＣＣＣ値を一致させるための動作を示す信号フロー図である。
【００４６】
図５を参照すると、ステップ５１１において、サービングＢＳ５０３は、ＭＳ５０１に割り当てられたフローのそれぞれのフロー情報に対する追加／変更／削除動作を要請するためのＤＳｘ−ＲＥＱメッセージをＭＳ５０１に送信した後に、ステップ５１３に進む。この時に、ＤＳｘ−ＲＥＱメッセージは、対応するフローのＦＩＤとＦＩＤのフロー情報に対するＦＣＣＣとを含む。ステップ５１３において、ＭＳ５０１は、ＤＳｘ−ＲＥＱメッセージに従って対応するフローのフロー情報の追加／変更／削除の動作を実行し、対応する追加／変更／削除動作の結果を示すアップデートされたＦＣＣＣ値を設定し、このアップデートされたＦＣＣＣ値を含むＤＳｘ−ＲＳＰメッセージをサービングＢＳ５０３に送信する。ステップ５１５において、サービングＢＳ５０３は、ＤＳｘ−ＲＳＰメッセージの受信を報告するＤＳｘ−ＡＣＫメッセージをＭＳ５０１に送信する。ＤＳｘ−ＡＣＫメッセージは、このアップデートされたＦＣＣＣ値を含む。
【００４７】
ステップ５１７において、ＭＳ５０１は、ＭＳ５０１のターゲットＢＳ５０５へのハンドオーバに対するＨＯ−ＲＥＱメッセージをサービングＢＳ５０３に送信する。ステップ５１９において、サービングＢＳ５０３は、ターゲットＢＳ５０５へのハンドオーバに対するＨＯ−ＣＭＤメッセージをＭＳ５０１に送信する。ステップ５２１において、ＭＳ５０１は、ターゲットＢＳ５０５へのハンドオーバに対するＨＯ−ＩＮＤメッセージをサービングＢＳ５０３に送信する。ステップ５２３において、ＨＯ−ＩＮＤメッセージを受信したサービングＢＳ５０３は、ＭＳ５０３のコンテキスト情報をターゲットＢＳ５０５に送信する。この時に、ＭＳ５０３のコンテキスト情報は、サービングＢＳ５０３が有しているＭＳ５０１に割り当てられた各フローのフロー情報のＦＩＤ値及び各ＦＩＤのＦＣＣＣ値を含む。
【００４８】
ステップ５２５において、ＭＳ５０１は、ターゲットＢＳ５０５への初期進入のためのＲＮＧ−ＲＥＱメッセージを送信する。この時に、ＲＮＧ−ＲＥＱメッセージは、ステップ５２３において、ＭＳ５０３が現在保存しているＦＩＤのそれぞれのＦＣＣＣ値の総計を含む。ＲＮＧ−ＲＥＱメッセージを受信したターゲットＢＳ５０５は、ステップ５２７において、ＭＳ５０１から受信したＦＣＣＣ値の総計がターゲットＢＳ５０５自身が有するＦＣＣＣ値の総計、すなわち、サービングＢＳ５０３から取得したＦＣＣＣ値の総計と一致するか否かを検査した後に、ステップ５２９に進む。この検査の結果として、ＭＳ５０１から受信したＦＣＣＣ値の総計がターゲットＢＳ５０５自身が有するＦＣＣＣ値の総計と一致しない場合に、ターゲットＢＳ５０５は、ターゲットＢＳ５０５が有するＦＣＣＣ値の総計が有効でないことを示すように有効性指示子を“１”の値に設定する。他方、ＭＳ５０１から受信したＦＣＣＣ値の総計がターゲットＢＳ５０５自身が有するＦＣＣＣ値の総計とすべて一致する場合に、ターゲットＢＳ５０５は、ターゲットＢＳ５０５自身が有するＦＣＣＣ値の総計が有効であることを示すように有効性指示子を“０”の値に設定する。
【００４９】
ステップ５２９において、ターゲットＢＳ５０５は、上述したような検査の結果に従って設定された有効性指示子を含むＲＮＧ−ＲＳＰメッセージをＭＳ５０１に送信した後にステップ５３１に進む。
【００５０】
ステップ５２７での検査の結果として、この有効性指示子が“１”に設定された場合に、ステップ５３１において、ターゲットＢＳ５０５は、ターゲットＢＳ５０５に保存されているＦＩＤとＦＩＤのそれぞれのＦＣＣＣ値とを含むＦＣＲ−ＲＥＱメッセージをＭＳ５０１に送信する。ＦＣＲ−ＲＥＱメッセージを受信したＭＳ５０１は、ステップ５３３において、ＭＳ５０１に保存されているＦＩＤとＦＩＤのそれぞれのＦＣＣＣ値とを含むＦＣＲ−ＲＳＰメッセージをターゲットＢＳ５０５に送信する。
【００５１】
この後に、ＭＳ５０１及びターゲットＢＳ５０５は、ＦＣＲ−ＲＥＱメッセージ及びＦＣＲ−ＲＳＰメッセージを送受信することにより、取得したＦＣＣＣ値のうちでＭＳ５０１及びターゲットＢＳ５０５が有しているＦＣＣＣ値と一致しないＦＣＣＣ値を有するＦＩＤがあるか否かを確認する。この確認の結果として、取得したＦＣＣＣ値のうちでＭＳ５０１及びターゲットＢＳ５０５が有しているＦＣＣＣ値と一致しないＦＣＣＣ値を有するＦＩＤがある場合に、ステップ５３５において、ターゲットＢＳ５０５は、不一致のＦＩＤのフローに対する追加／変更／削除の動作を要請するためのＤＳｘ−ＲＥＱメッセージをＭＳ５０１に送信する。この時に、ＤＳｘ−ＲＥＱメッセージは、不一致のＦＩＤを含む。ステップ５３７において、ＭＳ５０１は、ＤＳｘ−ＲＥＱメッセージに従って不一致のＦＩＤのフロー情報の追加／変更／削除の動作を実行し、フロー情報の追加／変更／削除の動作の結果を示すアップデートされたＦＣＣＣ値及び不一致のＦＩＤを含むＤＳｘ−ＲＳＰメッセージをターゲットＢＳ５０５に送信する。ステップ５３９において、ターゲットＢＳ５０５は、ＤＳｘ−ＲＳＰメッセージを受信し、不一致のＦＩＤのＦＣＣＣ値が一致する値にアップデートされたことを示すＤＳｘ−ＡＣＫメッセージをＭＳ５０１に送信する。ＤＳｘ−ＡＣＫメッセージは、不一致のＦＩＤとアップデートされたＦＣＣＣ値とを含む。
【００５２】
図６は、本発明の第６の実施形態に従ってハンドオーバの時にＭＳとＢＳとの間のＦＣＣＣ値を一致させるための動作を示す信号フロー図である。
【００５３】
図６を参照すると、ステップ６１１において、サービングＢＳ６０３は、ＭＳ６０１に割り当てられたフローのそれぞれのフロー情報に対する追加／変更／削除動作を要請するためのＤＳｘ−ＲＥＱメッセージをＭＳ６０１に送信した後に、ステップ６１３に進む。この時に、ＤＳｘ−ＲＥＱメッセージは、対応するフローのＦＩＤとＦＩＤのフロー情報に対するＦＣＣＣとを含む。ステップ６１３において、ＭＳ６０１は、ＤＳｘ−ＲＥＱメッセージに従って対応するフローのフロー情報の追加／変更／削除の動作を実行し、対応する追加／変更／削除動作の結果を示すアップデートされたＦＣＣＣ値を含むＤＳｘ−ＲＳＰメッセージをサービングＢＳ６０３に送信する。ステップ６１５において、サービングＢＳ６０３は、ＤＳｘ−ＲＳＰメッセージの受信を報告するＤＳｘ−ＡＣＫメッセージをＭＳ６０１に送信する。ＤＳｘ−ＡＣＫメッセージは、このアップデートされたＦＣＣＣ値を含む。
【００５４】
ステップ６１７において、ＭＳ６０１は、ＭＳ６０１のターゲットＢＳ６０５へのハンドオーバに対するＨＯ−ＲＥＱメッセージをサービングＢＳ６０３に送信する。ステップ６１９において、サービングＢＳ６０３は、ターゲットＢＳ６０５へのハンドオーバに対するＨＯ−ＣＭＤメッセージをＭＳ６０１に送信する。ステップ６２１において、ＭＳ６０１は、ターゲットＢＳ６０５へのハンドオーバに対するＨＯ−ＩＮＤメッセージをサービングＢＳ６０３に送信する。ステップ６２３において、ＨＯ−ＩＮＤメッセージを受信したサービングＢＳ６０３は、ＭＳ６０１のコンテキスト情報をターゲットＢＳ６０５に送信する。この時に、ＭＳ６０１のコンテキスト情報は、サービングＢＳ６０３が有しているＭＳ６０１に割り当てられた各フローのフロー情報のＦＩＤ値及び各ＦＩＤのＦＣＣＣ値を含む。
【００５５】
ステップ６２５において、ＭＳ６０１は、ターゲットＢＳ６０５への初期進入のためのＲＮＧ−ＲＥＱメッセージを送信する。この時に、ＲＮＧ−ＲＥＱメッセージは、ＭＳ６０３が保存するフローのそれぞれのＦＩＤ及びＦＩＤ別ＦＣＣＣ値を含む。
【００５６】
ＲＮＧ−ＲＥＱメッセージを受信したターゲットＢＳ６０５は、ステップ６２７において、ＭＳ６０１から受信したＦＣＣＣ値のそれぞれがサービングＢＳ６０３から取得したＦＩＤのそれぞれのＦＣＣＣ値と一致するか否かを検査した後に、ステップ６２９に進む。この検査の結果として、ＭＳ６０１から受信したＦＣＣＣ値がサービングＢＳ６０３から取得したＦＣＣＣ値と一致しないＦＣＣＣ値を含む場合に、ステップ６２９において、ターゲットＢＳ６０５は、ターゲットＢＳ６０５が有するＦＣＣＣ値が有効でないことを示す有効性指示子を“１”の値に設定する。他方、ＭＳ６０１から受信したＦＣＣＣ値がサービングＢＳ６０３から取得したＦＣＣＣ値とすべて一致する場合に、ターゲットＢＳ６０５は、ターゲットＢＳ６０５が有するＦＣＣＣ値が有効であることを示す有効性指示子を“０”の値に設定する。
【００５７】
ステップ６２９において、ターゲットＢＳ６０５は、ＲＮＧ−ＲＳＰメッセージをＭＳ６０１に送信する。この時に、ＲＮＧ−ＲＳＰメッセージは、上述したような検査の結果に従って設定された有効性指示子を含む。この有効性指示子が“１”に設定された場合に、ＲＮＧ−ＲＳＰメッセージは、この検査の結果として不一致のＦＣＣＣ値を有するＦＩＤのリストをさらに含む。
【００５８】
ステップ６３１において、ターゲットＢＳ６０５は、不一致のＦＣＣＣ値を有するＦＩＤのフロー情報に対する追加／変更／削除動作を要請するためのＤＳｘ−ＲＥＱメッセージをＭＳ６０１に送信する。ステップ６３３において、ＭＳ６０１は、ＤＳｘ−ＲＥＱメッセージに従って不一致のＦＩＤのフローに対するフロー追加／変更／削除動作を実行し、対応するフロー追加／変更／削除の動作の結果を示すアップデートされたＦＣＣＣ値を含むＤＳｘ−ＲＳＰメッセージをターゲットＢＳ６０５に送信する。例えば、ＤＳｘ−ＲＥＱメッセージは、不一致のＦＣＣＣ値を有するＦＩＤを含むことにより、追加／変更／削除動作を要請しようとするＦＩＤをターゲットＢＳ６０５に通知することができる。しかしながら、本発明によれば、追加／変更／削除動作を要請しようとするＦＩＤをターゲットＢＳ６０５に通知する動作は、上述した例に限定されるのではないことはもちろんである。
【００５９】
ステップ６３５において、ターゲットＢＳ６０５は、ＤＳｘ−ＲＳＰメッセージを受信し、不一致のＦＩＤのＦＣＣＣ値が一致する値にアップデートされたことを示すＤＳｘ−ＡＣＫメッセージをＭＳ６０１に送信する。ＤＳｘ−ＡＣＫメッセージは、この不一致のＦＩＤとこのアップデートされたＦＣＣＣ値とを含む。
【００６０】
図７は、本発明の実施形態に従ってＭＳとＢＳとの間のＦＣＣＣ値を一致させるための装置の構造を示すブロック図である。図７に示す装置７００に含まれる構成が本発明の第１の実施形態乃至第６の実施形態に従って対応する動作を実行することができると仮定する。したがって、装置７００が対応する実施形態に従ってサービングＢＳ、ターゲットＢＳ、及びＭＳのうちのいずれの装置としても動作することができると仮定する。
【００６１】
図７を参照すると、装置７００は、制御部７０２、受信部７０４、ＦＣＣＣ値一致確認部７０６、ＦＣＣＣアップデート／有効性指示子設定部７０８、及び送信部７１０を含む。
【００６２】
受信部７０４は、ＤＳｘ−ＲＥＱ／ＲＳＰ／ＡＣＫメッセージ及びＦＣＲ−ＲＥＱ／ＲＳＰメッセージを受信する。この時に、ＤＳｘ−ＲＥＱ／ＲＳＰ／ＡＣＫメッセージは、送信側が保存しているＦＣＣＣを含み、ＦＣＲ−ＲＥＱ／ＲＳＰ／ＡＣＫメッセージは、本発明の実施形態に従って対応するＦＩＤと対応するＦＩＤのＦＣＣＣ値とを含む。また、受信部７０４は、ＲＮＧ−ＲＥＱ／ＲＳＰ／ＡＣＫメッセージを受信する。ＲＮＧ−ＲＥＱ／ＲＳＰ／ＡＣＫメッセージは、送信側に保存されているＦＣＣＣ値の有効性指示子又は総計を含む。
【００６３】
制御部７０２は、ＦＩＤ、ＦＣＣＣ値、又はＦＣＣＣ値の総計を取得し、この取得した情報をＦＣＣＣ値一致確認部７０６に転送する。ＦＣＣＣ値一致確認部７０６は、現在保存されているＦＣＣＣ値が受信部７０４から受信したＦＣＣＣ値と一致するか否かを確認する。
【００６４】
制御部７０２は、ＦＣＣＣ値一致確認部７０６で確認した結果をＦＣＣＣアップデート／有効性指示子設定部７０８に転送する。この確認の結果として、現在保存されているＦＣＣＣ値が受信部７０４から受信したＦＣＣＣ値とすべて一致する場合に、ＦＣＣＣアップデート／有効性指示子設定部７０８は、有効性指示子を“０”に設定する。他方、この確認の結果として、不一致のＦＣＣＣ値が存在する場合に、ＦＣＣＣアップデート／有効性指示子設定部７０８は、有効性指示子を“１”に設定する。
【００６５】
また、この確認の結果として、不一致のＦＣＣＣ値が存在する場合に、ＦＣＣＣアップデート／有効性指示子設定部７０８は、不一致のＦＣＣＣ値を有するＦＩＤに対応するフローのフロー情報に対するフロー設定のために送受信されるＤＳｘ−ＲＥＱ／ＲＳＰ／ＡＣＫメッセージを通してこの不一致のＦＣＣＣ値をアップデートする。
【００６６】
制御部７０２は、本発明の対応する実施形態に従ってこの設定された有効性指示子又はこのアップデートされたＦＣＣＣ値を含むＤＳｘ−ＲＥＱ／ＲＳＰ／ＡＣＫメッセージを受信側に送信するように送信部７１０を制御する。装置７００が本発明の第５の実施形態又は第６の実施形態を参照して説明したように動作する場合に、制御部７０２は、送信部７１０が有効性指示子を含むＲＮＧ−／ＲＳＰメッセージを受信側に送信するように制御する。この時に、有効性指示子が“１”である場合に、本発明の第５の実施形態による制御部７０２は、制御部７０２自身が保存しているＦＩＤ及びＦＩＤのＦＣＣＣ値をＲＮＧ−／ＲＳＰメッセージに挿入する。また、本発明の第６の実施形態による制御部７０２は、この受信したＦＣＣＣ値と一致しないＦＣＣＣ値を有するＦＩＤのリストをＲＮＧ−／ＲＳＰメッセージに挿入する。
【００６７】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００６８】
７００    ：装置
７０２    ：制御部
７０４    ：受信部
７０６    ：ＦＣＣＣ値一致確認部
７０８    ：有効性指示子設定部
７１０    ：送信部
【図１】
0005540122.tif 000002
【図２】
0005540122.tif 000003
【図３】
0005540122.tif 000004
【図４】
0005540122.tif 000005
【図５】
0005540122.tif 000006
【図６】
0005540122.tif 000007
【図７】
0005540122.tif 000008